(57)【要約】【課題】  水切り容器を生ゴミ圧縮器の構成部品とすると共に水切り容器が台所のシンク内の隅部で邪魔とならず水切り容器とハンドル部とが分離可能で生ゴミ圧縮器を構成する水切り容器をゴミ溜として使用でき、別の場所に保管するのは押圧部を連結したハンドル部のみで保管場所に大きなスペースを必要とすることはなく、圧縮，脱水作業により生ゴミの重量及び容積も小さくすることができてゴミの排出を容易にすることができる生ゴミ圧縮器を提供する。【解決手段】  水切り容器２とハンドル部３と押圧部４とから構成され、水切り容器にハンドル部の一端に設けたピン９を挿着するヒンジ部７が形成され、ハンドル部と押圧部とを前記ヒンジ部において水切り容器から着脱自在とした生ゴミ圧縮器。【選択図】        図１
2006007290.tif 000002
【特許請求の範囲】
【請求項１】
水切り容器とハンドル部と押圧部とからなる生ゴミ圧縮器であって、前記水切り容器にハンドル部の一端に設けたピンを挿着するヒンジ部を形成し、前記ハンドル部と押圧部とを前記ヒンジ部において水切り容器から着脱自在としたことを特徴とする生ゴミ圧縮器。
【請求項２】
前記ハンドル部にブラケットを形成し、該ブラケットに押圧部の連結棒を枢着し、前記水切り容器の底部で前記ヒンジ部と対向する水切り容器の前面部位に該水切り容器を支える複数の支え部材を設けたことを特徴とする請求項１に記載の生ゴミ圧縮器。
【発明の詳細な説明】
【技術分野】
【０００１】
本発明は、水切り容器とハンドル部と押圧部とからなる生ゴミ圧縮器に関するものである。
【背景技術】
【０００２】
従来，水切り容器が載置される架台と、該架台の一端に軸支されたハンドル部と、該ハンドル部に固定された連結棒に前記水切り容器内の生ゴミを圧縮する押圧板とから成る生ゴミ圧縮器であって、前記架台とハンドル部と連結棒及び押圧板が一体化され、水切り容器が架台に載置自在とされたものがある（例えば特許文献１参照。）。
【０００３】
【特許文献１】特開２００１−２５９５９４号公報
【発明の開示】
【発明が解決しようとする課題】
【０００４】
ところで、前記従来の技術では、普段は水切り容器のみを台所のシンク内に設置し、該水切り容器内に生ゴミが溜まった時に別の場所に組付け保管していた生ゴミ圧縮器をシンク内に運び込み、水切り容器を架台に載置させてハンドル部操作により生ゴミを圧縮するものであり、生ゴミ圧縮器は架台とハンドル部と連結棒と押圧板とで一体化されたまま保管するために保管場所に大きなスペースを必要とする、という問題がある。
【０００５】
本発明は、従来の技術の有するこのような問題点に鑑みてなされたものであり、その目的とするところは、水切り容器を生ゴミ圧縮器の構成部品とすると共に水切り容器が台所のシンク内の隅部で邪魔とならず該水切り容器とハンドル部とが分離可能で生ゴミ圧縮器を構成する該水切り容器をゴミ溜として使用でき、別の場所に保管するのは押圧部を連結したハンドル部のみで保管場所に大きなスペースを必要とすることはなく、圧縮，脱水作業により生ゴミの重量及び容積も小さくすることができてゴミの排出を容易にすることができる生ゴミ圧縮器を提供しようとするものである。
【課題を解決するための手段】
【０００６】
上記目的を達成するために、本発明における生ゴミ圧縮器は、水切り容器とハンドル部と押圧部とから構成され、水切り容器にハンドル部の一端に設けたピンを挿着するヒンジ部を形成し、ハンドル部と押圧部とを前記ヒンジ部において水切り容器から着脱自在としたことを特徴とするものである。
【０００７】
また、前記ハンドル部にブラケットを形成し、該ブラケットに押圧部の連結棒を枢着し、前記水切り容器の底部で前記ヒンジ部と対向する水切り容器の前面部位に該水切り容器を支える複数の支え部材を設けたことを特徴とするものである。
【発明の効果】
【０００８】
以上のように、生ゴミ圧縮器を水切り容器とハンドル部と押圧部とで構成し、水切り容器にハンドル部の一端に設けたピンを挿着するヒンジ部を形成し、ハンドル部と押圧部とを前記ヒンジ部において水切り容器から着脱自在としたので、簡単に生ゴミ圧縮器を組付けることができ、生ゴミ圧縮器の水切り容器が台所のシンク内の隅部で邪魔とならずゴミ溜として使用でき、別の場所に保管するのは押圧部を連結したハンドル部のみで保管場所に大きなスペースを必要とすることはなく、圧縮，脱水作業により生ゴミの重量及び容積も小さくすることができてゴミの排出を容易にすることができる生ゴミ圧縮器となる。
【０００９】
また、ハンドル部にブラケットを形成し、該ブラケットに押圧部の連結棒を枢着し、水切り容器の底部でヒンジ部と対向する水切り容器の前面部位に該水切り容器を支える複数の支え部材を設けたので、押圧板を押し下げる角度の微調整が可能となり水切り容器内でネット内の生ゴミが水平でなくても押圧板で確実に生ゴミを圧縮し、水を脱水することができると共にハンドル部を押し下げる加圧力による水切り容器の転倒を防止して水切り容器を安定して設置できる生ゴミ圧縮器となる。
【発明を実施するための最良の形態】
【００１０】
図１ないし図４は本発明に係る生ゴミ圧縮器の実施例に関するもので、図１は生ゴミ圧縮器の組立説明図、図２は水切り容器の平面図、図３はハンドル部の平面図、図４は押圧部の平面図を示すものである。
【００１１】
図において、１は生ゴミ圧縮器であり、該圧縮器１は水切り容器２とハンドル部３と押圧部４とから構成されている。
前記水切り容器２は、合成樹脂，ステンレス等により上面に開口部を有する中空円柱状に形成され、該中空円柱状の底板５には多数の水流出孔６，６，…が形成されている。また、前記水切り容器２の上面側の一側縁側にはヒンジ部７が形成されている。
【００１２】
前記ハンドル部３には、合成樹脂，ステンレス等によりハンドル８が形成され、該ハンドル８の一端側に前記ヒンジ部７に挿着されるピン９が設けられ、ハンドル８の他端側には生ゴミ圧縮器１の使用者が握り易いようにグリップ１０が形成されている。
【００１３】
前記押圧部４は、合成樹脂，ステンレス等により形成された押圧板１１と該押圧板１１と前記ハンドル８とを連結する連結棒１２とで構成されている。
そして、前記押圧板１１は前記水切り容器２内の生ゴミを均等に押圧できるように該水切り容器２の中空円柱状の開口部と略同一の輪郭形状となっている。また、前記連結棒１２の一端側には前記ハンドル８と連結されるピン１３を設けて連結棒１２をハンドル８に枢着するようになっており、連結棒１２の他端側は押圧板１１の略中心部に連結されている。
【００１４】
以上のような構成からなる生ゴミ圧縮器であって、台所のシンク内に水切り容器２を設置し、該水切り容器２内にネットの袋状のものを配置して生ゴミ等をネット内に溜めることができる。そして、ネットに溜まった生ゴミを捨てる際には押圧部４を連結したハンドル部３をあらかじめ保管していた場所から取り出し、ハンドル８の一端側に設けたピン９を前記水切り容器２に形成されたヒンジ部７に挿着することにより簡単に生ゴミ圧縮器１を組付けることができるので、この組付けられた状態でハンドル部３のグリップ１０を持ってハンドル８を矢印ロの方向に押すことにより押圧板１１はヒンジ部７を支点として生ゴミに向けて押圧力を発揮して生ゴミが圧縮され、該生ゴミに含まれていた水分が脱水されて前記水切り容器２の底板５に形成された多数の水流出孔６，６，…から台所の排水溝に水を捨てることができる。
【００１５】
したがって、生ゴミを圧縮することによりゴミの容積を小さくすることができ、生ゴミの水分を脱水することにより生ゴミの重量も軽くなり、ゴミを外部に排出することが容易となるし、また台所の別の場所にバケツ等でゴミを溜めておく場合でもゴミの防臭等の効果が期待できる。
【００１６】
さらに、ヒンジ部７が前記水切り容器２の開口部と略同一の高さに形成されている場合には、台所のシンク内の隅部でも邪魔とならずゴミ溜として使用できると共に押圧部４を連結したハンドル部３を別の場所に保管しておけばよいので保管場所として大きなスペースを必要とすることはない。
【００１７】
また、前記ハンドル部３のハンドル８の略中央部位にブラケット１４を形成することも可能であり、この場合にはブラケット１４に押圧部４の連結棒１２がピン１３で枢着されるようにしてある。
ブラケット１４を介して連結棒１２を枢着することにより、押圧板１１を押し下げる角度の微調整が可能となり水切り容器２内でネット内の生ゴミが水平でなくても押圧板１１で確実に生ゴミを圧縮し、水を脱水することができる。
なお、押圧板１１の上面にもブラケットを設け（図示せず）、該ブラケットを介して連結棒１２を枢着することも可能であり、これによりハンドル８及び押圧板１１の部位で角度の微調整が可能となりより確実に生ゴミを圧縮し、水を脱水することができようになる。
【００１８】
さらに、前記水切り容器２の底部で前記ヒンジ部７と対向する水切り容器２の前面部位には該水切り容器を支える側面視略Ｌ字状の複数の支え部材１５，１５，…を設け、該複数の支え部材１５，１５，…に対向する水切り容器２の底部部位には水切り容器２の高さを安定させる突起部材１６，１６，…が形成されて水切り容器２を安定させて設置させるようにしてある。
前記支え部材１５，１５，…を設けることにより、ハンドル部３を押し下げて押圧板１１により生ゴミを圧縮する際にハンドル部３を押し下げることにより水切り容器２の底部で前記ヒンジ部７と対向する水切り容器２の前面部位に係る加圧力により水切り容器２が転倒することを防止することができる。
【図面の簡単な説明】
【００１９】
【図１】本発明の実施例に係る生ゴミ圧縮器の組立説明図である。
【図２】水切り容器の平面図である。
【図３】ハンドル部の平面図である。
【図４】押圧部の平面図である。
【符号の説明】
【００２０】
１              生ゴミ圧縮器
２              水切り容器
３              ハンドル部
４              押圧部
７              ヒンジ部
９              ピン
１２            連結棒
１４            ブラケット
１５            支え部材
【図１】
2006007290.tif 000003
【図２】
2006007290.tif 000004
【図３】
2006007290.tif 000005
【図４】
2006007290.tif 000006